(57)【要約】【課題】  基礎に沿って上ってきた白蟻が通気層の下端から侵入するのを防ぐと共に、隣家の火災時などに通気層の下端から炎が入り込むのを防ぐ壁内通気構造を提供する。【解決手段】  柱３に固定した合板４と、この合板４の外側面の防水シート１２に縦胴縁５を介して固定した外壁材６との間に通気層７を形成した壁内通気構造において、通気層７の下端部で縦胴縁５の間に嵌め込むか、前記縦胴縁の下端以下の位置で前記通気層と前記外壁材の外気側を遮断するように隙間なく配置して、不燃性且つ防蟻性のグラスウール部材８を固定した。グラスウール部材８は、直方体に形成したグラスウール１０の表面（合板４と対向する一面）に、長方形のポリエステルスパンボンド不織布１１を接着したものである。【選択図】        図１
2006316491.tif 000002
【特許請求の範囲】
【請求項１】
柱に直接又は合板などの下地部材を介して防水シートを取り付け、この防水シートの外側に縦胴縁を取り付け、更にこの縦胴縁の外側に外壁材を取り付けることで、前記防水シートと外壁材との間に通気層を形成した壁内通気構造において、不燃性且つ防蟻性のグラスウール部材を前記通気層の下端部で前記縦胴縁の間又は前記通気層の下端部で縦胴縁よりも下方に嵌め込んで固定したことを特徴とする壁内通気構造。 
【発明の詳細な説明】
【技術分野】
【０００１】
本発明は、外壁の内側に通気層が形成される壁内通気構造に関する。
【背景技術】
【０００２】
従来、隣家の火災時に防水シートと外装パネルとの間に形成した通気層から炎が回り込むのを防ぐために、外壁下地にて張設された防水シートの前面に縦胴縁を固定し、この縦胴縁の前面に外装パネルを固定してなる外壁にて前記外装パネルと防水シートとの間に形成された壁内通気層内に、上下貫通孔を有する通気発泡材を設けた壁内通気構造が知られている（例えば、特許文献１参照）。
【０００３】
また、通気層に侵入した白蟻が室内側に至らないように、通気層の室内面側に縦胴縁を介設して外装材内側に形成した通気層の室内面に透湿防水シートを張設することによって室内外を区分した木造建物において，上記透湿防水シートを，０．５〜１０μｍ程度の径の連続性繊維を加熱結合して形成した連続性極細高密度ポリエチレン繊維による不織布シートによる透湿防水シートを木造建物の土台から軒裏及び屋根下地まで全面に張設した木造建物における通気壁防蟻装置が知られている（例えば、特許文献２参照）。
【０００４】
【特許文献１】特開平９−２０３１３２号公報
【特許文献２】特開２００４−１１２８０号公報
【発明の開示】
【発明が解決しようとする課題】
【０００５】
しかし、特許文献１に記載された壁内通気構造においては、火災時に通気層から炎が回り込むのを防ぐことができるものの、貫通孔を有する通気発泡材では通気層への白蟻の侵入を防ぐことはできない。
また、特許文献２に記載された通気壁防蟻装置においては、白蟻が室内側に侵入するのを防ぐことができるものの、基礎に沿って上ってきた白蟻が通気層に侵入するのを防ぐことはできない。
【０００６】
本発明は、従来の技術が有するこのような問題点に鑑みてなされたものであり、その目的とするところは、基礎に沿って上ってきた白蟻が通気層の下端から侵入するのを防ぐと共に、隣家の火災時などに通気層の下端から炎が入り込むのを防ぐ壁内通気構造を提供しようとするものである。
【課題を解決するための手段】
【０００７】
上記課題を解決すべく本発明では、柱に直接又は下地部材（合板）を介して防水シートを取り付け、この防水シートの外側に縦胴縁を取り付け、更にこの縦胴縁の外側に外壁材を取り付けることで、前記防水シートと外壁材との間に通気層を形成した壁内通気構造において、不燃性且つ防蟻性のグラスウール部材を前記通気層の下端部で前記縦胴縁の間又は前記通気層の下端部で縦胴縁よりも下方に嵌め込んで固定するようにしたものである。
【発明の効果】
【０００８】
以上説明したように本発明によれば、グラスウール部材は防蟻性であるため、白蟻の食害を受けることなく、白蟻が通気層に侵入するのを防ぐことができる。また、グラスウール部材は不燃性であるため、隣家の火災時などに通気層へ炎が入り込むのを防ぐことができる。更に、グラスウール部材は通気性であるため、通気層の湿気排出機能・通気機能を損なうことがない。
【発明を実施するための最良の形態】
【０００９】
以下に本発明の実施の形態を添付図面に基づいて説明する。ここで、図１は本発明に係る壁内通気構造の縦断面図、図２は同じく横断面図、図３は同じく外壁材を除いた場合の正面図、図４はグラスウール部材の斜視図、図５は別実施例における壁内通気構造の縦断面図、図６は別実施例の外壁材を除いた場合の正面図で（ａ）が室内側、（ｂ）が外気側の図である。
【００１０】
本発明に係る壁内通気構造は、図１及び図２に示すように、基礎１の上に土台２を介して立設した柱３と、柱３の外気側の面に固定した下地部材としての合板４と、この合板４の外側面に止着される防水シート１２と、合板４に縦胴縁５を介して固定した外壁材６と、合板４の外側面の防水シート１２と外壁材６との間に形成した通気層７と、通気層７の下端部に固定したグラスウール部材８を備えている。
【００１１】
縦胴縁５は、図３に示すように、合板４の外側面の防水シート１２と外壁材６に挟まれて所定の間隔で設置されている。グラスウール部材８は、縦胴縁５の間に嵌め込んだ状態で、且つ防水シート１２と外壁材６に密接状態で固定され、外気側と通気層７を遮断している。グラスウール部材８は、不燃性で且つ白蟻に対して防蟻性という性質を有する。
【００１２】
グラスウール部材８は、図４に示すように、直方体に形成したグラスウール１０の表面（防水シート１２と対向する一面）に、長方形のポリエステルスパンボンド不織布１１を接着したものである。ポリエステルスパンボンド不織布１１は、グラスウール部材８を合板４に固定するための部材である。
【００１３】
例えば、グラスウール部材８は、密度３２ｋｇ／ｍ３のグラスウール材を、幅Ｗが縦胴縁５の施工間隔に２ｍｍを加算した値、高さＨが３０ｍｍ、奥行きＤが２５ｍｍ（縦胴縁５の厚みが１８ｍｍの場合）のサイズに形成したグラスウール１０の表面（防水シート１２と対向する一面）に、縦の長さＡが７０ｍｍ、横の長さＢがグラスウール１０の幅Ｗと同様に縦胴縁５の施工間隔に２ｍｍを加算した値のポリエステルスパンボンド不織布１１を接着して構成することができる。
【００１４】
上記のグラスウール部材８は、縦胴縁５の厚みが１８ｍｍの場合には、施工前に厚み２５ｍｍのグラスウール１０を施工後には縦胴縁５の厚さ（１８ｍｍ）まで圧縮することにより密度を上げているので、アリの侵入を確実に防ぐことができる。
【００１５】
また、所定サイズのグラスウール１０に加工されるグラスウール材としては、３２ｋｇ／ｍ３以外でも、通気層７の湿気排出機能や通気機能を損なわなければ、１６ｋｇ／ｍ３〜９６ｋｇ／ｍ３を用いることができる。更に、グラスウール部材８のサイズは、状況に応じて変更することができる。
【００１６】
グラスウール部材８を合板４に固定するための不織布は、ポリエステルスパンボンド不織布１１以外のものでもよい。
また、ポリエステルスパンボンド不織布１１を合板４に固定しなくても、グラスウール部材８を縦胴縁５の間に嵌め込むと共に、合板４と外壁材６によって圧縮するようにすれば所望の姿勢で固定することができる。従って、グラスウール部材８は、ポリエステルスパンボンド不織布１１などの不織布を用いることなく、グラスウール１０のみで構成することもできる。
【００１７】
グラスウール部材８の施工は、図１に示すように、合板を使う場合の接合に関する制限はないが、合板が無い場合は土台に押し当てられる高さとする。施工方法としては、まず図３に示すように、グラスウール部材８を縦胴縁５と縦胴縁５の間に嵌め込むように固定する方法が考えられる。
【００１８】
図５は、図１の別実施例に係る壁内通気構造の縦断面図を示す図である。図１との違いは、グラスウール部材８の取付けにおいて、図１では合板４の上に防水シート１２を貼って、その上にグラスウール部材８を取り付けているが、図５においては合板４を使わず、防水シート１２を土台２や柱３に直接取り付け、その上にグラスウール部材８を取り付けている点である。前記防水シート１２の反対側の面は図１と同様に縦胴縁５に取り付けられていて、グラスウール部材８も防水シート１２に直接取り付けられていて、防水シート１２と外壁材６との間の通気層と外壁の外気側とを遮断している。グラスウール部材８の固定は、タッカ−を用いてポリエステルスパンボンド不織布１１を、あらかじめ防水シート１２を貼ってある土台２上に固定することによって行われる。タッカ−で固定することができない箇所については、接着テープなどで固定することもできる。
【００１９】
図６（ａ）と（ｂ）は、図３の別実施例である。図３との違いは、図３ではグラスウール部材８を縦胴縁５と縦胴縁５の間に嵌め込むように固定しているのに対し、図６（ａ）（ｂ）では縦胴縁５の下端より低い位置にて、単体であるいは複数のグラスウール部材８を横方向に連接させている。この場合において、縦胴縁５の下端と向き合うグラスウール部材８の角材形状をしたグラスウール１０の上向き面とは接触していても良いし、距離を置いて配置しても良いが、前記グラスウール１０の上向き面の高さは外壁の下端縁よりも高い構造とする。
【００２０】
この構造により、防水シート１２と外壁材６との間の通気層７を外壁の外気側から遮断している。この場合のグラスウール部材８の固定は、タッカ−を用いてポリエステルスパンボンド不織布１１を防水シート１２の上から土台に固定することによって行われる。タッカ−で固定することができない箇所については、接着テープなどで固定することもできる。
【００２１】
以上のように構成した本発明に係る壁内通気構造の作用について説明する。通気層７の下端へ白蟻が侵入しようとしても、白蟻の食害を受けない防蟻性のグラスウール部材８を通気層７の下端部に設けて、外気側と通気層７を遮断しているので、基礎１に沿って上ってきた白蟻はグラスウール部材８を通過することができず、白蟻が通気層７に侵入するのを防ぐことができる。
【００２２】
また、隣家の火災などにより通気層７の下端から炎が入り込むような場合でも、不燃性のグラスウール部材８を通気層７の下端部に設けて、外気側と通気層７を遮断しているので、炎が通気層７内に回り込むのを防ぐことができる。
【００２３】
更に、グラスウール部材８は、グラスウール１０の通気性により、通気層７の湿気排出機能・通気機能を損なうことなく、通気層７内の湿気を外気側に排気することもできるし、外気を通気層７内に取り込むこともできる。
【産業上の利用可能性】
【００２４】
本発明は、白蟻の食害を受けることなく、白蟻が通気層に侵入するのを防ぐことができ、また隣家の火災時などに通気層へ炎が入り込むのを防ぐことができ、更に通気層の湿気排出機能・通気機能を損なうことのない壁内通気構造を提供することができる。
【図面の簡単な説明】
【００２５】
【図１】本発明に係る壁内通気構造の縦断面図
【図２】本発明に係る壁内通気構造の横断面図
【図３】本発明に係る壁内通気構造の外壁材を除いた場合の正面図
【図４】グラスウール部材の斜視図
【図５】本発明に係る別構造の壁内通気構造の縦断面図
【図６】（ａ）本発明に係る別構造の壁内通気構造の外壁材を除いた場合の室内側からの正面図、（ｂ）同じく外気側からの正面図。
【符号の説明】
【００２６】
１…基礎、２…土台、３…柱、４…合板、５…縦胴縁、６…外壁材、７…通気層、８…グラスウール部材、１０…グラスウール、１１…ポリエステルスパンボンド不織布、１２…防水シート。
【図１】
2006316491.tif 000003
【図２】
2006316491.tif 000004
【図３】
2006316491.tif 000005
【図４】
2006316491.tif 000006
【図５】
2006316491.tif 000007
【図６】
2006316491.tif 000008